(57)【要約】【課題】タグ本体の一部を他部から容易に切り離すことができるクリーニングタグを提供する。【解決手段】クリーニングタグ１は、細長いシート状のタグ本体５と、このタグ本体５の一部5aを他部5bから切り離すためのミシン目６とを備える。ミシン目６は、タグ本体５の短手方向中央側に形成した中央側スリット部11と、タグ本体５の短手方向両端側に形成した端側スリット部12，13とを有する。中央側スリット部11は、端側スリット部12，13よりも長い。【選択図】図１
2017040695.tif 000002
【特許請求の範囲】
【請求項１】
クリーニング品に取り外し可能に取り付けられるクリーニングタグであって、
長手方向および短手方向を有する細長いシート状のタグ本体と、
このタグ本体の一部を他部から切り離すためのミシン目とを備え、
前記ミシン目は、
前記タグ本体の短手方向中央側に形成された中央側スリット部と、
前記タグ本体の短手方向両端側に形成された端側スリット部とを有し、
前記中央側スリット部は、前記端側スリット部よりも長い
ことを特徴とするクリーニングタグ。
【請求項２】
中央側スリット部の長さ寸法は、指の先端を挿入可能な大きさに設定されている
ことを特徴とする請求項１記載のクリーニングタグ。
【請求項３】
中央側スリット部の長さ寸法は、端側スリット部の長さ寸法の５倍以上である
ことを特徴とする請求項１または２記載のクリーニングタグ。
【請求項４】
タグ本体は、矩形シート状に形成され、
前記タグ本体の４つの隅部は、湾曲状に形成されている
ことを特徴とする請求項１ないし３のいずれか一記載のクリーニングタグ。
【請求項５】
タグ本体は、短手方向に沿って形成された凹溝状の折曲部を有し、
前記折曲部は、前記タグ本体の他部における長手方向中央部の表面に形成されている
ことを特徴とする請求項１ないし４のいずれか一記載のクリーニングタグ。
【請求項６】
クリーニング品に取り外し可能に取り付けられるクリーニングタグであって、
長手方向および短手方向を有する細長いシート状のタグ本体と、
このタグ本体に短手方向に沿って形成された凹溝状の折曲部と
を備えることを特徴とするクリーニングタグ。
【発明の詳細な説明】
【技術分野】
【０００１】
本発明は、クリーニング品に取り外し可能に取り付けられるクリーニングタグに関するものである。
【背景技術】
【０００２】
従来、例えば下記の特許文献１に記載されたクリーニングタグが知られている。
【０００３】
この従来のクリーニングタグは、長手方向および短手方向を有する細長いシート状のタグ本体と、このタグ本体の一部を他部から切り離すためのミシン目とを備えている。
【０００４】
そして、そのミシン目は、刃物によるミシン加工或いはレーザによるミシン加工等によって形成された同じ長さの複数の短スリット部によって構成されている。
【先行技術文献】
【特許文献】
【０００５】
【特許文献１】特開２００１−３２４９２９号公報（図２）
【発明の概要】
【発明が解決しようとする課題】
【０００６】
しかしながら、上記従来のクリーニングタグでは、ミシン目が同じ長さの複数の短スリット部によって構成されているため、タグ本体の一部を他部から切り離すのに手間取るおそれがある。
【０００７】
本発明は、このような点に鑑みなされたもので、タグ本体の一部を他部から容易に切り離すことができるクリーニングタグを提供することを目的とする。
【課題を解決するための手段】
【０００８】
請求項１記載のクリーニングタグは、クリーニング品に取り外し可能に取り付けられるクリーニングタグであって、長手方向および短手方向を有する細長いシート状のタグ本体と、このタグ本体の一部を他部から切り離すためのミシン目とを備え、前記ミシン目は、前記タグ本体の短手方向中央側に形成された中央側スリット部と、前記タグ本体の短手方向両端側に形成された端側スリット部とを有し、前記中央側スリット部は、前記端側スリット部よりも長いものである。
【０００９】
請求項２記載のクリーニングタグは、請求項１記載のクリーニングタグにおいて、中央側スリット部の長さ寸法は、指の先端を挿入可能な大きさに設定されているものである。
【００１０】
請求項３記載のクリーニングタグは、請求項１または２記載のクリーニングタグにおいて、中央側スリット部の長さ寸法は、端側スリット部の長さ寸法の５倍以上であるものである。
【００１１】
請求項４記載のクリーニングタグは、請求項１ないし３のいずれか一記載のクリーニングタグにおいて、タグ本体は、矩形シート状に形成され、前記タグ本体の４つの隅部は、湾曲状に形成されているものである。
【００１２】
請求項５記載のクリーニングタグは、請求項１ないし４のいずれか一記載のクリーニングタグにおいて、タグ本体は、短手方向に沿って形成された凹溝状の折曲部を有し、前記折曲部は、前記タグ本体の他部における長手方向中央部の表面に形成されているものである。
【００１３】
請求項６記載のクリーニングタグは、クリーニング品に取り外し可能に取り付けられるクリーニングタグであって、長手方向および短手方向を有する細長いシート状のタグ本体と、このタグ本体に短手方向に沿って形成された凹溝状の折曲部とを備えるものである。
【発明の効果】
【００１４】
本発明によれば、タグ本体の一部を他部から容易に切り離すことができ、よって、作業効率を向上できるとともに作業者への負担を軽減できる。
【図面の簡単な説明】
【００１５】
【図１】本発明の一実施の形態に係るクリーニングタグの表面図である。
【図２】同上クリーニングタグの裏面図である。
【図３】（ａ）は図１におけるＡ−Ａ部分拡大図であり、（ｂ）はその部分拡大図におけるＣ−Ｃ断面図である。
【図４】（ａ）は図１におけるＢ−Ｂ部分拡大図であり、（ｂ）はその部分拡大図におけるＤ−Ｄ断面図である。
【図５】同上クリーニングタグの使用状態の斜視図である。
【図６】同上クリーニングタグを取り付ける場合の説明図である。
【図７】図６に続く説明図である。
【図８】図７に続く説明図である。
【図９】同上クリーニングタグの一部を切り離す場合の説明図である。
【図１０】図９に続く説明図である。
【図１１】図１０に続く説明図である。
【図１２】（ａ）および（ｂ）は本発明の他の実施の形態に係るクリーニングタグの表面図である。
【発明を実施するための形態】
【００１６】
本発明の一実施の形態について図１ないし図１１を参照して説明する。
【００１７】
図中の１は、例えば紙製のクリーニングタグで、このクリーニングタグ１は、顧客（クリーニング依頼者）の識別のために、クリーニング品２に取り外し可能に取り付けられて使用されるものである。
【００１８】
クリーニング品２は、クリーニング工場でクリーニング（洗浄）される被洗浄物、すなわち例えばワイシャツであり、そのボタン孔2aにクリーニングタグ１が取り外し可能に取り付けられる（図１１参照）。なお、クリーニング品２は、ワイシャツには限定されず、ズボン、スカート等の他の衣類のほか、布団やシート等でもよい。
【００１９】
クリーニングタグ１は、図１および図２等から明らかなように、長手方向および短手方向を有する細長い矩形シート状で折曲げ可能な可撓性の１枚のタグ本体（タグ材）５を備えている。このタグ本体５は、例えば耐クリーニング性の用紙からなる耐洗紙によって構成されている。
【００２０】
そして、タグ本体５の長手方向一端側には、タグ本体５の長手方向一端側の一部5aを残りの他部5bから容易に切り離すためのミシン目６が刃物等によってタグ本体５の表裏面に貫通して切込み形成されている。また、タグ本体５の長手方向他端側には、タグ本体５をこのタグ本体５の短手方向に沿って容易に折り曲げるための凹溝状の折曲部７がタグ本体５の短手方向に沿ってタグ本体５の表面側に押圧形成されている。
【００２１】
つまり、タグ本体５は、切離部であるミシン目６を長手方向一端側に有し、かつ、他の部分よりも厚さが薄い折曲部７を長手方向他端側に有している。また、この細長い矩形シート状のタグ本体５の４つの隅部は、いずれも角張っておらず、湾曲状に形成されている。
【００２２】
ミシン目６は、図３（ａ）および（ｂ）等に示されるように、タグ本体５の短手方向中央側に形成された１つの中央側スリット部（長スリット部）11と、タグ本体５の短手方向両端側にそれぞれ形成された同じ長さの対をなす２つの端側スリット部（短スリット部）12，13とを有している。
【００２３】
すなわち例えば、このミシン目６は、互いに間隔をおいてタグ本体５の短手方向に沿って位置する３つの直線状のスリット部（切込部）11，12，13のみで構成されている。
【００２４】
短手方向一端側（図３（ａ）では、上端側）の一方の端側スリット部（一端側スリット部）12は、タグ本体５の短手方向一端14から離れており、同様に、短手方向他端側（図３（ａ）では、下端側）の他方の端側スリット部（他端側スリット部）13は、タグ本体５の短手方向他端15から離れている。
【００２５】
このため、短手方向一端14と一方の端側スリット部12との間には第１接続部16が位置し、一方の端側スリット部12と中央側スリット部11との間には第２接続部17が位置し、中央側スリット部11と他方の端側スリット部13との間には第３接続部18が位置し、他方の端側スリット部13と短手方向他端15の間には第４接続部19が位置している。
【００２６】
そして、これら４つの接続部（非スリット部）16，17，18，19によって、タグ本体５の一部5aとタグ本体５の他部5bとが切り離し可能に接続されている。
【００２７】
これらの各接続部16，17，18，19はいずれも同じ長さであるが、中央側スリット部11と端側スリット部12，13とは同じ長さではなく、中央側スリット部11は端側スリット部12，13よりも長く、例えば中央側スリット部11の長さ寸法が端側スリット部12，13の長さ寸法の５倍以上、例えば５倍（略５倍を含む）である。
【００２８】
ここで、中央側スリット部11の長さ寸法（タグ本体５の短手方向に沿った長さ寸法）は、タグ本体５の切り離し作業をする作業者の指の先端を挿入可能な大きさ（例えば３ｍｍ〜５ｍｍの範囲内の大きさ）に設定されており、例えば４ｍｍである。
【００２９】
また、各端側スリット部12，13の長さ寸法は例えば０．８ｍｍであり、各接続部16，17，18，19の長さ寸法は例えば１ｍｍであり、端側スリット部12，13が接続部16，17，18，19よりも若干短い。なお、タグ本体５の短手方向長さ寸法は例えば９．６ｍｍであり、タグ本体５の長手向長さ寸法は例えば１２０ｍｍである。
【００３０】
折曲部７は、図４（ａ）および（ｂ）等に示されるように、タグ本体５の他部5bの長手方向中央部の表面にタグ本体５の短手方向に沿って凹溝状に押圧により形成されている。この折曲部７の長手方向両端は、タグ本体５の短手方向両端近傍に位置している。
【００３１】
なお、例えば折曲部７をタグ本体５の短手方向全長にわたって形成してもよい。また、タグ本体５の裏面のうち、折曲部７に対応する部分が凸状となっていてもよい。
【００３２】
また、図５に示されるように、タグ本体５の表面の２箇所（図５上、ミシン目６の左側方に位置する部分および折曲部７の左側方に位置する部分）には、顧客識別用の情報表示部20が印刷等によって付される。この情報表示部20は、数字、文字、図形等からなるもので、例えばタグナンバー、店コード或いは店名等である。
【００３３】
次に、クリーニングタグ１の作用等を説明する。
【００３４】
まず、クリーニングタグ１をクリーニング品２に取り付ける場合について説明する。
【００３５】
クリーニング取次店の作業者は、図５に示すように、折曲部７を利用してタグ本体５の他部5bをこの他部5bの長手方向中央部で二つ折りに折り曲げる。つまり、タグ本体５の他部5bの一方側半部（右半部）を折曲部７に沿ってこの折曲部７を中心として裏面側に向けて回動させる。
【００３６】
その後、図６および図７に示すように、タグ本体５の他部5bの一方側半部（右半部）をクリーニング品（例えばワイシャツ）２のボタン孔2aに通してタグ本体５の他部5bの他方側半部（左半部）と重ね合わせる。
【００３７】
続いて、図８に示すように、互いに重なり合った状態のタグ本体５の他部5bの一方側半部と他方側半部とを、止め具であるホッチキス針21で止める。
【００３８】
こうして、クリーニングタグ１がクリーニング品２に取り付けられ、このクリーニング品２は、クリーニングタグ１が取り付けられた状態のまま、クリーニング工場に運ばれて、洗浄される。
【００３９】
そして、洗浄後、クリーニング取次店に戻され、この取次店において、作業者は、工場と取次店との間でのクリーニング品２の入出管理に使用するために、ミシン目６を利用してタグ本体５の一部（店控え部）5aを他部5bから切り離す。
【００４０】
すなわち、作業者は、図９に示すように、例えば右手の人差し指と親指とでタグ本体５の他部5bを挟持した状態で、左手の親指の先端（爪の先端でもよい）をミシン目６の中央側スリット部11に挿入する。
【００４１】
続いて、作業者は、左手の親指の先端を中央側スリット部11に更に押し込んでこの中央側スリット部11を大きく開くようにして、４つの接続部16，17，18，19を切断することで、図１０に示すように、タグ本体５の一部5aを他部5bから切り離す。
【００４２】
その結果、図１１に示すように、クリーニングタグ１は、クリーニング品２のボタン孔2aに取り付けられたタグ本体５の他部5bのみからなる状態となり、この状態のまま、顧客識別用の情報表示部20に対応する顧客に返却される。
【００４３】
なお、顧客は、クリーニング品２を着る際に、ホッチキス針21を外して、タグ本体５の他部5bをクリーニング品２のボタン孔2aから取り外す。
【００４４】
そして、このようなクリーニングタグ１によれば、タグ本体５に形成したミシン目６の中央側スリット部11は端側スリット部12，13よりも例えば５倍以上長く、その中央側スリット部11の長さ寸法は作業者の指の先端を挿入可能な大きさに設定されているため、作業者は、指の先端を中央側スリット部11に挿入して切り始めるきっかけを作ることで、タグ本体５の一部5aを他部5bから容易に切り離すことができ、よって、作業者による手作業の作業効率を向上できるとともに作業者への負担を軽減できる。
【００４５】
また、タグ本体５は矩形シート状（略矩形シート状を含む）に形成され、このタグ本体５の４つの隅部は湾曲状に形成されているため、タグ本体５をクリーニング品２のボタン孔（孔部）2aに通し易く、またタグ本体５がクリーニング品２に引っ掛かってほつれる等の不具合の発生を防止できる。
【００４６】
さらに、タグ本体５はこのタグ本体５の短手方向に沿って形成された凹溝状の折曲部７を表面側に有し、この折曲部７はタグ本体５の他部5bにおける長手方向中央部（略長手方向中央部を含む）の表面にタグ本体５の短手方向に沿って形成されているため、タグ本体５を所望部分で短手方向に沿って容易に折り曲げることができ、よって、作業者による手作業の作業効率を更に向上できるとともに作業者への負担を更に軽減できる。
【００４７】
すなわち例えば、クリーニングタグ１は、衣類等のクリーニング品２に取り付ける際に、毎回決まった位置で折り曲げる必要があるが、一端から他端までの全体の中央位置で折り曲げるといった分かりやすい位置で折り曲げるのではなく、一端からミシン目６までの部分（他部5b）の中央位置で折り曲げるという多少複雑な位置での折り曲げとなっており、それでも本実施の形態のクリーニングタグ１によれば、折曲部７を利用することでクリーニングタグ１を毎回決まった位置で容易に折り曲げることができる。
【００４８】
なお、ミシン目６の中央側スリット部11は、タグ本体５の短手方向に沿った直線状のものには限定されず、例えば図１２（ａ）、（ｂ）に示すような、指の先端の形状に沿った湾曲線状のものでもよく、また例えば図示しないが、くの字状等でもよい。
【００４９】
また、ミシン目６の端側スリット部12，13は、タグ本体５の短手方向両端側にそれぞれ１つずつではなく、タグ本体５の短手方向両端側の少なくとも一方側に複数あってもよい。
【００５０】
さらに、凹溝状の折曲部７は、タグ本体５の表面側ではなく、例えばタグ本体５の裏面側に形成してもよい。
【００５１】
また、クリーニングタグ１は、矩形シート状の１枚のタグ本体（耐洗紙）５からなるものには限定されず、例えば切り離し可能に接続された複数枚のタグ本体（耐洗紙）５からなるもの等でもよい。
【００５２】
さらに、クリーニングタグ１は、ミシン目６および折曲部７の両方を備える構成には限定されず、ミシン目６および折曲部７のうちいずれか一方のみを備える構成でもよい。
【符号の説明】
【００５３】
１    クリーニングタグ
２    クリーニング品
５    タグ本体
5a    タグ本体の一部
5b    タグ本体の他部
６    ミシン目
７    折曲部
11    中央側スリット部
12，13    端側スリット部
【図１】
2017040695.tif 000003
【図２】
2017040695.tif 000004
【図３】
2017040695.tif 000005
【図４】
2017040695.tif 000006
【図５】
2017040695.tif 000007
【図６】
2017040695.tif 000008
【図７】
2017040695.tif 000009
【図８】
2017040695.tif 000010
【図９】
2017040695.tif 000011
【図１０】
2017040695.tif 000012
【図１１】
2017040695.tif 000013
【図１２】
2017040695.tif 000014